(57)【要約】【課題】ハンドル内の配線と加熱要素との間の電気接続部を信頼性および安全性の高い固定式電気接続部とし、また、ローラー間の距離および圧力を髪の房の厚さに応じて自動的に調節することのできるヘアスタイリング用の装置を提供する。【解決手段】本発明のヘアスタイリング用の装置１は、装置１の開閉を行えるように互いに連結された２つのハンドル１０，２０と、２つのハンドル１０，２０に接続される２つのスタイリング部材３０，４０とを備える。スタイリング部材３０，４０のそれぞれは、髪のスタイリング時に回転するローラー３２，４２を有する。また、ローラー３２，４２のうちの少なくとも１つは加熱要素３４，４４を有する。スタイリング部材３０，４０のうちの少なくとも１つは、対応するローラー３２，４２の回転軸心を垂直に横切る方向に、対応するローラー３２，４２に弾性力を加える弾性手段３３，４３を有する。【選択図】図１
2011194227.tif 000002
【特許請求の範囲】
【請求項１】
ヘアスタイリング用の装置（１）であって、
互いに離したり近付けたりすることで当該装置（１）の開閉を行えるように互いに連結された２つのハンドル（１０，２０）と、
前記２つのハンドル（１０，２０）のそれぞれに１つずつ接続される２つのスタイリング部材（３０，４０）とを備え、
前記スタイリング部材（３０，４０）のそれぞれが、髪のスタイリング時に自身の長手軸心を中心として回転するローラー（３２，４２）を有し、そのローラー（３２，４２）のうちの少なくとも１つは加熱要素（３４，４４）を有しており、
前記スタイリング部材（３０，４０）のうちの少なくとも１つが、対応する前記ローラー（３２，４２）の回転軸心である前記長手軸心に対して垂直に実質的に横切る方向に、前記対応するローラー（３２，４２）に弾性力を加えるように前記対応するローラー（３２，４２）に動作可能に接続された弾性手段（３３，４３）を有するヘアスタイリング用の装置（１）。
【請求項２】
請求項１に記載のヘアスタイリング用の装置（１）において、
前記弾性手段（３３，４３）によって前記ローラー（３２，４２）に加えられる弾性力が、当該装置（１）の内側に向かって加えられるヘアスタイリング用の装置（１）。
【請求項３】
請求項１または２に記載のヘアスタイリング用の装置（１）において、
前記ローラーが、前記弾性手段（３３，４３）と協働することで前記実質的に横切る方向に沿って所定範囲内のストロークの横運動を行えるように、対応する前記スタイリング部材（３０，４０）の内部に収容されているヘアスタイリング用の装置（１）。
【請求項４】
請求項１から３のいずれか一項に記載のヘアスタイリング用の装置（１）において、
前記２つのハンドル（１０，２０）が互いにヒンジ接続されているヘアスタイリング用の装置（１）。
【請求項５】
請求項１から４のいずれか一項に記載のヘアスタイリング用の装置（１）において、
前記加熱要素（３４，４４）を有する前記少なくとも１つのローラー（３２，４２）が、前記加熱要素（３４，４４）に対して回転するヘアスタイリング用の装置（１）。
【請求項６】
請求項１から５のいずれか一項に記載のヘアスタイリング用の装置（１）において、
前記加熱要素（３４，４４）が、対応する前記ハンドル（１０，２０）内の電源に、固定式の電気接続部を介して接続されるヘアスタイリング用の装置（１）。
【請求項７】
請求項６に記載のヘアスタイリング用の装置（１）において、
前記２つのスタイリング部材（３０，４０）が、前記２つのハンドル（１０，２０）に分離不能に接続されており、かつ、前記加熱要素（３４，４４）と前記対応するハンドル（１０．２０）内の電源との間の前記固定式の電気接続部が、分離不能なタイプであるヘアスタイリング用の装置（１）。
【請求項８】
請求項１から７のいずれか一項に記載のヘアスタイリング用の装置（１）において、
前記加熱要素（３４，４４）が、対応する前記ローラー（３２，４２）の内部に収容されているヘアスタイリング用の装置（１）。
【請求項９】
請求項８に記載のヘアスタイリング用の装置（１）において、
前記加熱要素（３４，４４）が、当該加熱要素（３４，４４）の回りで前記対応するローラー（３２，４２）が回転を行えるように、所定のクリアランス（３６，４６）を介して前記対応するローラー（３２，４２）の内部に収容されているヘアスタイリング用の装置（１）。
【請求項１０】
請求項９に記載のヘアスタイリング用の装置（１）において、
前記加熱要素に対する前記ローラー（３２，４２）の回転が容易になるように、転動部材が、当該ローラー（３２，４２）と当該加熱要素（３４，４４）との間に設けられているヘアスタイリング用の装置（１）。
【請求項１１】
請求項１０に記載のヘアスタイリング用の装置（１）において、
前記転動部材が、軸受筒または転がり軸受であるヘアスタイリング用の装置（１）。
【請求項１２】
請求項１０または１１に記載のヘアスタイリング用の装置（１）において、
前記転動部材が、熱伝導性材料を含んでいるヘアスタイリング用の装置（１）。
【請求項１３】
請求項１２に記載のヘアスタイリング用の装置（１）において、
前記熱伝導性材料が、自滑性を有するヘアスタイリング用の装置（１）。
【請求項１４】
請求項１２に記載のヘアスタイリング用の装置（１）において、
前記転動部材が、自滑性材料で構成される被覆物によって被覆されているヘアスタイリング用の装置（１）。
【請求項１５】
請求項１から１４のいずれか一項に記載のヘアスタイリング用の装置（１）において、
前記２つのスタイリング部材（３０，４０）のそれぞれがハウジング（３１，４１）を有し、前記ローラー（３２，４２）のそれぞれが、対応する前記ハウジング（３１，４１）に対して自由に回転を行えるように当該ハウジング（３１，４１）に収容され、前記ハウジング（３１，４１）は、収容する前記ローラー（３２，４２）について３６０°未満の角度範囲を覆うように構成されており、当該装置（１）の前記ハンドル（１０，２０）が閉位置にあるとき、２つの前記ローラー（３２，４２）が、対向して協働することで髪のスタイリングを行うヘアスタイリング用の装置（１）。
【発明の詳細な説明】
【技術分野】
【０００１】
本発明は、ヘアスタイリング用の電気装置に関する。
【０００２】
本発明は、特に、ヘアストレート（hair straightening）用の電気装置、ヘアカール（curling）用の電気装置、ヘアウェーブ（waving）用の電気装置などに関する。
【背景技術】
【０００３】
ヘアスタイリング用の電気装置は、例えば、特許文献１、特許文献２、特許文献３、特許文献４、特許文献５、特許文献６、特許文献７などに記載されている。
【０００４】
特に、特許文献７には、２つのローラーが突出したケーシングを備え、このローラー内に対応する加熱要素を収容した装置が開示されている。加熱要素を収容したローラー同士は、ばねによって離れた状態に付勢される。さらに、この装置は、適切な把持部を備えている。ばねの作用に抗するようにして把持部に圧力を加えることにより、加熱要素を収容したローラー同士を近付けることができる。加熱要素を収容したローラー同士の近接度は、調節ねじによって制御することができる。
【０００５】
このような装置では、２つのローラーを介して髪（髪の毛）の房に実際に加えられる圧力は、前記調節ねじによって調節される。このようなねじは、ユーザー（使用者）が予め手作業で調節したり、装置の動作中に調節したりしなければならない。
【先行技術文献】
【特許文献】
【０００６】
【特許文献１】伊国特許第１１０２２５６号明細書
【特許文献２】国際公開第２００４／０２６０７０号パンフレット
【特許文献３】国際公開第２００５／０８２１９８号パンフレット
【特許文献４】国際公開第２００８／１３２３４５号パンフレット
【特許文献５】英国特許第１８５２７号明細書
【特許文献６】米国特許第２９１０９８８号明細書
【特許文献７】米国特許第１８４５２０８号明細書
【発明の開示】
【発明が解決しようとする課題】
【０００７】
出願人は、公知の装置に比べて向上したヘアスタイリング用の装置を提供するという技術的課題に直面した。
【課題を解決するための手段】
【０００８】
本発明の一構成は、ヘアスタイリング用の装置に関する。この装置は、互いに離したり近付けたりすることで当該装置の開閉を行えるように互いに連結された２つのハンドルと、前記２つのハンドルのそれぞれに１つずつ接続される２つのスタイリング部材とを備え、前記スタイリング部材のそれぞれは、髪（髪の毛）のスタイリング時に自身の長手軸心を中心として回転するローラーを有し、そのローラーのうちの少なくとも１つは加熱要素を有しており、前記スタイリング部材のうちの少なくとも１つは、対応する前記ローラーの回転軸心である前記長手軸心に対して垂直に実質的に横切る方向に、前記対応するローラーに弾性力を加えるように前記対応するローラーに動作可能に接続された弾性手段を有する。
【０００９】
本明細書および特許請求の範囲において、「固定式の電気接続部」とは、移動しない（回転しない）電気接続部のことを指し、接続／分離（接続／切断）動作を繰返し行うことができない長期的に安定した電気接続部（例えば、２つの配線を溶接することによって形成された電気接続部など）と、分離自在（接続／分離自在）なタイプの電気接続部（例えば、プラグとソケットとによって構成される電気接続部など）との両方が含まれる。
【００１０】
従属請求項は、本発明にかかる装置の特に有利な実施形態に関する請求項である。
【００１１】
有利な点として、前記ローラーのそれぞれは、髪のスタイリング時に、自身の長手軸心を中心として自由に回転を行える。
【００１２】
好ましくは、前記ローラーは、前記弾性手段と協働することで前記実質的に横切る方向に沿って所定範囲内のストロークの横運動を行えるように、対応する前記スタイリング部材の内部に収容される。
【００１３】
好ましくは、前記弾性手段によって前記ローラーに加えられる弾性力は、前記装置の内側に向かって加えられる。
【００１４】
好ましくは、前記弾性手段は、対応する前記スタイリング部材内に、対応する前記ローラーを装置の内側に向かって付勢するように収容されている。これにより、装置を閉じると、弾性手段によって一方のローラーが他方のローラーに押し付けられる。
【００１５】
有利な点として、装置の開閉機構は、前記２つのハンドルを自由に（十分に）離すことができるように構成されている。
【００１６】
一実施形態において、前記２つのハンドルは、それらの一端部で互いにヒンジ接続されている。前記２つのハンドルの他方の端部である自由端は、各ハンドルに対応するスタイリング部材と動作可能に接続することができる。好ましくは、前記２つのハンドルは、両者間の角度が最大４５°まで、例えば１５〜２０°まで離すことができるように、ヒンジ接続されている。
【００１７】
好ましくは、前記２つのスタイリング部材は、前記２つのハンドルに対して直接的に接続される。
【００１８】
好ましい一実施形態において、前記加熱要素を有する前記少なくとも１つのローラーは、前記加熱要素に対して回転する。
【００１９】
好ましくは、前記加熱要素は固定された要素であり、すなわち、髪のスタイリング時に回転しない。
【００２０】
好ましくは、前記加熱要素は、対応する前記ハンドル内の電源に、固定式の電気接続部を介して接続される。
【００２１】
一実施形態において、前記２つのスタイリング部材は、１つずつ、前記２つのハンドルのうちの対応するハンドルに固定接続されている。好ましくは、前記加熱要素は、対応する前記ハンドル内の電源に対して直接的に接続されている。
【００２２】
一実施形態において、前記２つのスタイリング部材は、前記２つのハンドルに分離不能に接続されており、かつ、前記加熱要素と前記対応するハンドル内の電源との間の前記固定式の電気接続部は分離不能なタイプである。
【００２３】
好ましくは、前記加熱要素は、対応する前記ローラーの内部に収容される。
【００２４】
好ましくは、前記加熱要素は、当該加熱要素の回りで前記対応するローラーが回転を行えるように、所定のクリアランス（隙間）を介して前記対応するローラーの内部に収容されている。
【００２５】
好ましくは、前記加熱要素に対する前記ローラーの回転が容易になるように、転動部材が、当該ローラーと当該加熱要素との間に設けられている。
【００２６】
例えば、前記転動部材は、軸受筒（bushing ）または転がり軸受である。
【００２７】
好ましくは、前記転動部材は、熱伝導性材料を含んでいる。
【００２８】
好ましくは、前記熱伝導性材料が自滑性（self-lubricating, 内部潤滑性）を有するか、あるいは、前記転動部材が、自滑性材料の被覆物によって被覆されている。
【００２９】
一実施形態において、前記加熱要素は、対応するローラーの内部に収容された円筒要素の、さらにその内部に収容される。この場合、前記クリアランスは、円筒要素とローラーとの間に形成される。
【００３０】
好ましくは、前記２つのスタイリング部材のそれぞれがハウジングを有し、前記ローラーのそれぞれが、対応する前記ハウジングに対して自由に回転を行えるように当該ハウジングに収容され、前記ハウジングは、収容する前記ローラーについて３６０°未満の角度範囲を覆うように構成されており、これにより、当該装置の前記２つのハンドルが閉位置にあるとき、前記ローラーが、互いに対向し、互いに協働することで髪のスタイリングを行う。
【００３１】
前記ローラーの外表面は、滑らかであっても、歯状であっても、ウェーブ状（波状）であってもよい。
【００３２】
好ましい一実施形態では、前記２つのスタイリング部材のうちの少なくとも１つに、スタイリングが施される髪の房を適切な位置に保持するのに適した櫛状要素が設けられている。
【図面の簡単な説明】
【００３３】
【図１】本発明の一実施形態のヘアスタイリング用の装置を示す斜視図である。
【図２】図１の装置のスタイリング部材を示す斜視図である。
【図３】図２の平面Ａに沿ったヘアスタイリング部材の長手方向断面図である。
【図４】図２のスタイリング部材のローラー、円筒要素および加熱要素の組立体を示す斜視図である。
【図５】図２の実施形態の２つのスタイリング部材の閉じた状態を示す側面図である。
【図６】図１のヘアスタイリング用の装置のローラー同士が相補的に係合した状態を示す断面図である。
【発明を実施するための形態】
【００３４】
本発明にかかる装置のさらなる特徴および利点は、添付の図面を用いた、本発明を限定しない、あくまでも例示的な好ましい実施形態についての以下の説明から明らかになる。
【００３５】
図面において、参照符号１は、本発明の一実施形態のヘアスタイリング用の装置（図示の例では、ヘアウェーブ用の電気ヘアアイロン）を示す。装置１は、２つのハンドル１０，２０（図１では開状態）および２つのスタイリング部材３０，４０を備える。
【００３６】
２つのハンドル１０，２０は、互いに離したり近付けたりすることで装置１の開閉を行えるように互いに連結されている。
【００３７】
図示の実施形態において、２つのハンドル１０，２０は、一方の端部で単一のヒンジ５０によって互いに連結されている。ヒンジ５０により、２つのハンドル１０，２０はヒンジ接続軸心を中心として回転し、装置１を開位置と閉位置との間で切り換えることができる。例えば、２つのハンドル１０，２０は、開位置において、互いに最大４５°の角度まで、例えば１５〜２０°の角度まで離れることができる。
【００３８】
典型的に、ヒンジ５０には、開いた休止位置に装置を付勢するための弾性手段が設けられている。
【００３９】
図示の実施形態において、２つのハンドル１０，２０の２つの自由端１１，２１はヒンジ接続されておらず、当該自由端１１，２１には、２つのスタイリング部材３０，４０をそれぞれ分離不能に接続することができる。変形例として、当該技術分野で知られているような、素早い締結が可能なシステムを用いることにより、ハンドル１０，２０とスタイリング部材３０，４０との接続部を分離自在に構成してもよい。図１において、２つの接続部材（すなわち、スタイリング部材３０，４０）には、２つのハンドル１０，２０の２つの自由端１１，２１の内部にスナップ挿入可能な２つの付属接続部３８，４８が、１つずつ一方の接続部材に対応するように設けられている。
【００４０】
スタイリング部材３０，４０を分離自在に接続した本変形例では、ユーザーのその時々で異なる要件に応じて、様々な対のスタイリング部材を２つのハンドル１０，２０に着脱できるため有利である。
【００４１】
しかしながら、本発明は、スタイリング部材３０，４０を２つのハンドル１０，２０に安定的に接続したい場合にも適用可能である。この場合、２つのスタイリング部材３０，４０および２つのハンドル１０，２０は、対ごとに単一の部品から形成してもよいし、または対ごとに（例えば、ねじ、溶接などによって）強固に連結固定するようにしてもよい。
【００４２】
２つのスタイリング部材３０，４０のそれぞれは、ローラー３２，４２を収容するハウジングの役割を果たす保護用の半シェル体３１，４１を有する。
【００４３】
好ましくは、半シェル体３１，４１は、断熱性材料で構成されている。また、半シェル体３１，４１は、ローラー３２，４２について３６０°未満の角度範囲、典型的には少なくとも１８０°の角度範囲（例えば、約１８０°）を覆うように構成されており、これにより、ハンドル１０，２０が閉位置にあるとき（すなわち、装置１がスタイリング処理状態のとき）、２つのローラー３２，４２は互いに対向し、互いに協働することによって髪のスタイリングを行う。
【００４４】
ローラー３２，４２は、自身の長手軸心を中心として自由に回転を行える中空円筒状の部材であり、それぞれ対応する半シェル体３１，４１に対して回転自在に連結している。自由に回転を行えるローラーとは、外部からの力によって回転が始まると、その外部からの力が止まった後は、摩擦や外部からの別の力によって停止するまで、慣性力によって回転し続けるローラーのことをいう。
【００４５】
好ましくは、ローラー３２，４２の長手軸心は、ハンドル１０，２０同士をヒンジ接続するためのヒンジ接続軸心に対してほぼ垂直に延びている。
【００４６】
ローラー３２，４２の少なくとも１つは、内部に加熱要素３４，４４を有している。詳細には、加熱要素３４，４４は、対応するローラー３２，４２の内部に収容されている。
【００４７】
好ましくは、ローラー３２，４２は、熱伝導性材料で構成されている。これにより、スタイリングが施される髪に対する、加熱要素３４，４４からの熱伝導を最適化することができる。
【００４８】
加熱要素３４，４４としては、抵抗型ヒータ、正の温度係数を有するヒータ（ＰＴＣヒータ）、セラミックヒータ、ワイヤヒータ、赤外線ヒータなどが用いられる。また、加熱要素３４，４４の断面は、任意の形状（例えば、正方形、長方形、円形など）でよい。
【００４９】
加熱要素３４，４４は、ハンドル１０，２０内に設けられた、配電線によって給電される電源としての配線（図示せず）に接続可能である。
【００５０】
好ましくは、装置１は、配電線に接続すべく給電ケーブルに接続され、ハンドル１０，２０内に設けられた前記配線を介して加熱要素３４，４４に電気エネルギーを供給する（この例は図示せず）。
【００５１】
一変形例（図示せず）において、装置は、電池（例えば、二次電池など）によっても動作可能である。
【００５２】
好ましくは、装置１は、さらに、加熱要素３４，４４の温度を調節する調節手段（図示せず）を備えている。このような調節手段は、当該技術分野における周知の技術に基づいて設計可能なので詳述しない。
【００５３】
本発明の好ましい一実施形態において、ローラー３２，４２の内部に収容された加熱要素３４，４４は、固定された要素（すなわち、回転しない要素）であり、ローラー３２，４２は当該加熱要素３４，４４の回りで自由に回転を行える。
【００５４】
この構成の利点は、ハンドル１０，２０内の配線と加熱要素３４，４４との間の電気接続部を固定式にできるため、先行技術の一部の装置において用いられる、信頼性および安全性の低い回転摺接式の電気接続部を使用せずに済む点である。
【００５５】
スタイリング部材３０，４０がハンドル１０，２０から分離可能とされる図示の実施形態では、例えば、加熱要素３４，４４からの配線３４０（図３および図４）の端部に強固なピン（図示せず）を直接設けてもよく、この強固なピンとハンドル１０，２０内の適切なソケット（図示せず）との間で電気的な接続を行うように構成してもよい。スタイリング部材３０，４０をハンドル１０，２０に接続することにより、加熱要素３４，４４と電源との間に固定式の電気接続部、すなわち、非回転式の電気接続部を形成することができる。
【００５６】
一方、スタイリング部材３０，４０とハンドル１０，２０とが分離不能に一体接続される実施形態（図示せず）では、加熱要素３４，４４からの配線３４０が、ハンドル１０，２０内の対応する配線と、例えば溶接などによって、直接的に固定接続される。
【００５７】
加熱要素３４，４４については様々な形状が考えられ、本発明の好ましい一実施形態では、加熱要素３４，４４は、当該加熱要素３４，４４をローラー３２，４２の内側面の円筒形状に合致させるためのアダプターの役割を果たす、円筒要素３５，４５の内部に収容される。
【００５８】
図示の好ましい実施形態では、ローラー３２，４２のそれぞれが、内部に円筒要素３５，４５を有しており、当該円筒要素３５，４５の内部に加熱要素３４，４４が挿入される。
【００５９】
好ましくは、円筒要素３５，４５は、熱伝導性材料（例えば、青銅、アルミニウム、鋼など）で構成されている。
【００６０】
円筒要素３５，４５は、当該円筒要素３５，４５の回りでローラー３２，４２が回転を行えるように、所定のクリアランス（隙間）（図６の参照符号３６，４６）を介して、それぞれの対応するローラー３２，４２の内部に挿入されている。
【００６１】
好ましくは、熱伝導性材料（例えば、青銅、アルミニウム、鋼など）で構成された軸受筒または転がり軸受（図示せず）が、固定された要素である円筒要素３５，４５とローラー３２，４２との間のクリアランス（隙間）３６，４６に挿入される。これにより、ローラー３２，４２の、加熱要素３４，４４に対する回転を容易にすると同時に、優れた熱伝導を確保することができる。
【００６２】
好ましくは、軸受筒（または軸受）は、熱伝導性と自滑性との両方を有する材料（例えば、青銅など）で構成されている。これにより、ローラー３２，４２の、固定された要素である円筒要素３５，４５に対する回転をさらに容易にすることができる。変形例として、軸受筒（または軸受）は、熱伝導性材料（例えば、青銅、アルミニウム、鋼など）で構成されており、かつ、自滑性材料（例えば、テフロン（登録商標）など）の薄膜によって被覆されていてもよい。
【００６３】
このようにして、ローラー３２，４２は、ローター（回転子）として機能し、内部に加熱要素３４，４４を備える固定された要素である円筒要素３５，４５は、ステーター（固定子）として機能する。
【００６４】
ローラー３２，４２と、固定された要素である円筒要素３５，４５と、加熱要素３４，４４との組立体は、それぞれ対応する半シェル体３１，４１の内部に全体的に収容される。このような組立体は、対応する半シェル体３１，４１に結合される。これは、例えば、固定された要素である円筒要素３５，４５の端部を、プレート３９，４９を介して対応する半シェル体３１，４１にねじ留めすることによって行われる。
【００６５】
詳細には、前記組立体は、対応する半シェル体の内部で運動が制限されるようにして固定されるが、ローラーだけは、固定された要素である円筒要素３５，４５、加熱要素３４，４４、および半シェル体３１，４１に対して自由に回転を行える。
【００６６】
本発明において、ローラー３２，４２は、対応する半シェル体３１，４１の内部に、弾性手段を介して支持される。
【００６７】
図２の平面Ａの断面図である図３に示すように、弾性手段は、ローラー３２，４２の回転軸心である当該ローラー３２，４２の長手軸心に対して垂直に実質的に横切る方向に、当該ローラー３２，４２に対して弾性力を加えるように構成されている。このような弾性力は、ハンドル１０，２０を互いにヒンジ接続するためのヒンジ接続軸心に対しても垂直に加えられる。
【００６８】
好ましくは、弾性手段は、ローラー３２，４２を装置１の内側に向かって付勢するように設けられている。すなわち、弾性手段は、ローラー３２，４２の回転軸心である当該ローラー３２，４２の長手軸心に対して垂直に実質的に横切る方向に、当該ローラー３２，４２に弾性力を加えるように、当該ローラー３２，４２に対して動作可能に設けられている。これにより、装置１を閉じると、ローラー３２，４２は弾性手段によって互いに押し合う。
【００６９】
図３に示す実施形態では、弾性手段３３，４３は２つのばねを有する。これら２つのばね３３，４３は、対応する半シェル体３１，４１の内部において、円筒要素３５，４５の両端部に、各端部につき１つずつ設けられる。
【００７０】
本発明は、弾性手段が２個以外の個数である場合（例えば、弾性手段が１個、３個である場合など）や、弾性手段がばねでない場合（例えば、弾性手段が、ゴム要素や、その他の弾性材料などで構成される場合）にも適用可能である（図示せず）。
【００７１】
また、本発明は、弾性手段が１つのローラーに対してのみ設けられる場合にも適用可能である。
【００７２】
好ましくは、ローラー３２，４２のそれぞれは、弾性手段３３，４３と協働することでローラーの長手軸心に対して垂直に実質的に横切る方向に沿って小範囲の運動を行えるように、対応する半シェル体３１，４１の内部に取り付けられる。
【００７３】
特に好ましくは、ローラー３２，４２と、円筒要素３５，４５と、加熱要素３４，４４との前記組立体は、弾性手段３３，４３によって決定されるストロークの範囲内で小範囲の横運動を行えるように、対応する半シェル体３１，４１の内部に取り付けられる。
【００７４】
例えば、このようなストロークは、０ｍｍ超か、０．５ｍｍ超か、または１．５ｍｍ超である。
【００７５】
例えば、このようなストロークは、４ｍｍ未満か、３ｍｍ未満か、または２ｍｍ未満である。
【００７６】
ユーザーが２つのスタイリング部材３０，４０の間に髪の房を挿入して装置１を閉じると、弾性手段により、２つのローラー３２，４２の対向する表面間の距離は、その髪の房の厚さ（幅）に合うように自動的に調節される。
【００７７】
すなわち、本発明の利点は、２つのローラー３２，４２の対向する表面間の距離が装置１に実際に挿入される髪の房の厚さ（幅）に応じて自動的に調節されるので、そのような厚さ（幅）に応じて、ローラー３２，４２によって髪の房に実際に加えられる圧力も自動的に調節される点である。
【００７８】
これにより、本発明にかかる装置１は、髪の房の太さ（厚さ）に関係なく、あらゆる種類の髪の房に対してスタイリングを効果的に施すことができ、さらに、ユーザーが手作業であれこれ工夫することなしに、髪の房の根元から先端まで一様なスタイリングを自動的に施すことができる。
【００７９】
本発明の好ましい実施形態は、以下の特徴の組合せを備える：弾性手段３４，４４を介して設けられる、回転しない加熱要素３４，４４および回転する部材であるローラー３２，４２により、スタイリングが施される髪の房に応じてローラー３２，４２間の距離を自動的に調節できると同時に、ハンドル１０，２０内の電源と加熱要素３４，４４との間の電気的カップリング（電気接続）を安定かつ安全に行えるので有利である。事実、この本発明の好ましい実施形態では、加熱要素３４，４４がハンドル１０，２０内の電源に安定的に固定接続されるので、弾性手段３３，４３との協働によってローラーが横運動を生じた場合であっても電気的カップリングが安定かつ安全に保持される。
【００８０】
一般的に、ローラー３２，４２における、スタイリングを施すための外表面は、滑らかであっても、歯状であっても、ウェーブ状（波状）であってもよい。
【００８１】
ヘアストレート動作の場合、滑らかな表面が特に好適であり、ヘアカール動作やヘアウェーブ動作の場合は、波状やウェーブ状の表面が特に好適である。
【００８２】
一例として、図６の実施形態では、２つのローラー３２，４２の外表面に複数の歯部が設けられており、これら２つのローラーは、装置１のハンドル１０，２０を閉じると互いの歯部が相補的に噛み合うように、１つずつ対応する半シェル体３１，４１の内部に配置されている。
【００８３】
歯部の形状、数および寸法は、所望のスタイリング効果に応じて様々な種類のものが選択できる。
【００８４】
好ましくは、２つの櫛状手段、特に好ましくは、２つのグループの櫛状要素３７，４７が、２つの異なる半シェル体３１，４１の互いに対向する側に１つずつまたは１グループずつ設けられるか、または同一の半シェル体３１，４１の両側に１つずつまたは１グループずつ設けられる。これにより、２つのローラー３２，４２間に挿入された髪の房を、スタイリング時に適切な位置に確実に保持することができる。
【００８５】
使用時、ユーザーは装置１の電源を入れて、加熱要素３４，４４が最適な温度に達するまで待機し、髪の房を選択して２つのローラー３２，４２の間にその髪の房を挿入し、ハンドル１０，２０を閉じ、ローラー３２，４２を髪の房の根元から先端まで走らせるようにして装置１を動かす。この動作の際、ローラーは相互回転し、弾性手段により、スタイリングを施す髪の房の厚さ（幅）に応じてローラー同士の距離を自動的に調節する。
【００８６】
装置の各種構成品について、それらの寸法、形状、位置および向きには、様々な変更を施してもよい。図面では構成品同士が互いに接触していたり互いに直接的に接続されていたりしても、実際にはそれら構成品間に他の構成品を介在させてもよい。単一の要素、部材または構成品によって実行されるものとして説明した機能、作用または動作であっても、複数の要素、部材または構成品によって実行することが可能であり、その逆も然りである。ある実施形態について説明した構造および機能であっても、別の実施形態に適用可能である。ある実施形態について説明した全ての有利な特徴が、必ずしも同じ実施形態に存在する必要はない。あらゆる新規かつ革新的な特徴も、それ単独で革新的発明として見なすべきである。
【符号の説明】
【００８７】
１  ヘアスタイリング用の装置
１０，２０  ハンドル
３０，４０  スタイリング部材
３２，４２  ローラー
３３，４３  弾性手段
３４，４４  加熱要素
【図１】
2011194227.tif 000003
【図２】
2011194227.tif 000004
【図３】
2011194227.tif 000005
【図４】
2011194227.tif 000006
【図５】
2011194227.tif 000007
【図６】
2011194227.tif 000008
【外国語明細書】
2011194227000001.pdf
2011194227000002.pdf
2011194227000003.pdf
2011194227000004.pdf